(57)【特許請求の範囲】
【請求項１】
コンクリート体と打設コンクリート体との接続部に内設される薬液注入ホースであって、
筒内を薬液注入路とし、その筒内から筒外に向けて薬液の通過を許容する筒構造をなすとともに、電流が通電されることで発熱する材料よりなる芯筒と、
前記芯筒の薬液注入路に対し同芯筒の筒外から生コンクリートが侵入することがないように前記芯筒の外周を被う低融点材料よりなる外被層と、を備えていることを特徴とする薬液注入ホース。
【請求項２】
請求項１に記載の薬液注入ホースを用いてコンクリート体と打設コンクリート体との接続部をシールするシール工法であって、
前記コンクリート体の接続部に前記薬液注入ホースを配設する工程と、
前記コンクリート体の接続部に接して生コンクリートを流し込み前記薬液注入ホースを埋設した状態で固化させることで打設コンクリート体を形成する工程と、
前記薬液注入ホースの芯筒に電流を流して発熱させ、その発熱に基づいて外被層を加熱溶融させて外被層を取り除く工程と、
前記芯筒の薬液注入路に、シールのための薬液を注入する工程と、を備えていることを特徴とする薬液注入ホースを用いたコンクリート構造物のシール工法。
【発明の詳細な説明】
【０００１】
【産業上の利用分野】
この発明はコンクリート構造物の接続部をシールするための薬液注入ホースとそのホースを用いたコンクリート構造物のシール工法に関する。
【０００２】
【従来の技術】
コンクリート体の接続部に接して生コンクリートが打込まれ、これが固化されることで打設コンクリート体が形成されるコンクリート構造物の接続部における打ち継ぎ部分には、隙間が生じやすい。
前記コンクリート構造物の接続部における打ち継ぎ部分に発生する隙間に対し、シール剤、発泡剤、硬化剤等が混合された薬液を注入するために、例えば、特表平６−５０６２７５号公報に開示されたものが知られている。
これにおいては、規則的に穿孔が形成された給送チューブが貫通微細孔を有する圧縮可能なケーシングで被われている。
【０００３】
【発明が解決しようとする課題】
ところで、前記したような構造をもつ薬液注入ホースにあっては、その給送チューブの穿孔の目づまりはケーシングによって防止されるが、給送チューブに注入された薬液が穿孔を通して吐出される際、その薬液の吐出に対しケーシングが妨害物となり、コンクリート構造物の接続部に対する薬液の浸透が不充分となる場合がある。
【０００４】
この発明の目的は、前記問題点に鑑み、コンクリート構造物の接続部に対し薬液を不足なく円滑に浸透させることができる薬液注入ホースとそのホースを用いたコンクリート構造物のシール工法を提供することである。
【０００５】
【課題を解決するための手段】
前記目的を達成するために、請求項１の発明に係る薬液注入ホースは、コンクリート体と打設コンクリート体との接続部に内設される薬液注入ホースであって、
筒内を薬液注入路とし、その筒内から筒外に向けて薬液の通過を許容する筒構造をなすとともに、電流が通電されることで発熱する材料よりなる芯筒と、
前記芯筒の薬液注入路に対し同芯筒の筒外から生コンクリートが侵入することがないように前記芯筒の外周を被う低融点材料よりなる外被層と、を備えている。
また、請求項２の発明に係る薬液注入ホースを用いたコンクリート構造物のシール工法は、請求項１に記載の薬液注入ホースを用いてコンクリート体と打設コンクリート体との接続部をシールするシール工法であって、
前記コンクリート体の接続部に前記薬液注入ホースを配設する工程と、
前記コンクリート体の接続部に接して生コンクリートを流し込み前記薬液注入ホースを埋設した状態で固化させることで打設コンクリート体を形成する工程と、
前記薬液注入ホースの芯筒に電流を流して発熱させ、その発熱に基づいて外被層を加熱溶融させて外被層を取り除く工程と、
前記芯筒の薬液注入路に、シールのための薬液を注入する工程と、を備えている。
【０００６】
【作用】
前記したように構成されるこの発明において、コンクリート体の一側面の接続部に薬液注入ホースが固定された後、コンクリート体の接続部に接して生コンクリートが打込まれ、前記コンクリート体の接続部と打込まれた生コンクリートの接続部との間に薬液注入ホースが埋設される。そして、前記生コンクリートが固化されることで打設コンクリート体が形成される。
前記薬液注入ホースの芯筒の外周は外被層によって被われているため、前記芯筒の薬液注入路に対し生コンクリートが侵入する不具合が生じない。
前記生コンクリートが固化され、これによって打設コンクリートが形成された後、芯筒の通電発熱に基づいて外被層が加熱溶融され、芯筒の外周から外被層が取り除かれる。
このようにして芯筒の外周から外被層が取り除かれた状態で前記芯筒の薬液注入路に薬液が注入されることで、その薬液は芯筒の外側に良好に吐出され、コンクリート体と打設コンクリート体との接続部の打ち継ぎ部分における隙間に不足なく浸透される。
【０００７】
【実施例】
以下、この発明の一実施例を図面にしたがって説明する。
図１において、薬液注入ホース１は、芯筒２と外被層３とを備えている。
前記芯筒２は、その筒内を薬液注入路４とし、筒内から筒外に向けて薬液の通過を許容する筒構造、例えば、図１に示すように、格子状又はブレード状に編まれたネットが丸められて筒状に形成されている。また、芯筒２は図２に示すように線材が螺旋状に巻回されて筒状に形成されてもよい。
さらに、芯筒２は、電流が通電されることで発熱する材料、例えば鋼、ステンレス等の金属線材やカーボン繊維によって形成されている。
【０００８】
前記外被層３は、芯筒２の筒外から薬液注入路４に生コンクリートが侵入することがないように芯筒２の外周を被うものであり、芯筒２の通電発熱に基づいて溶融される低融点樹脂、ろう等を素材とする薄肉シートによって形成されている。
【０００９】
次に、前記したように構成されるこの実施例の薬液注入ホースの作用とともにコンクリート構造物のシール工法を図３〜図６にしたがって説明する。
まず、図３に示すように、コンクリート体１１の一側面の接続部に薬液注入ホース１が固定手段、例えば、粘着テープ１２によって固定される。
また、図７の（Ａ）に示すように、コンクリート体１１を工場において成型するときに、そのコンクリート体１１の一側面に対し、薬液注入ホース１を、その断面の半分程度埋込むことで固定してもよい。
さらに、図７の（Ｂ）に示すように、コンクリート体１１の一側面に断面半円形の凹みを形成し、その凹み部１３に薬液注入ホース１を嵌込んで固定してもよい。
【００１０】
前記したように、コンクリート体１１の一側面の接続部に薬液注入ホース１が固定された後、コンクリートの打込み現場において、図４に示すように、前記コンクリート体１１の接続部に接して生コンクリート２０が打込まれ、前記コンクリート体１１の接続部と打込まれた生コンクリート２０の接続部との間に薬液注入ホース１が埋設される。そして、前記生コンクリート２０が固化されることで打設コンクリート体２１が形成される。
前記生コンクリート２０の打込みから固化する時において、薬液注入ホース１の芯筒２の外周は外被層３によって被われているため、前記芯筒２の薬液注入路４に対し生コンクリート２０が侵入する不具合が生じない。
【００１１】
前記生コンクリート２０が固化され、これによって打設コンクリート体２１が形成された後、芯筒２に所要の電流が通電され、これによって芯筒２が発熱する。すると、芯筒２の発熱に基づいて外被層３が加熱溶融され、図５に示すように芯筒２の外周から外被層３が全体又は部分的に取り除かれる。
【００１２】
ここで、芯筒２の薬液流入路４に対しシール剤、発泡剤、硬化剤等が混合された液状の薬液３１が注入される。
すると、前記薬液３１は、芯筒２の編目や線材間を通してその内側から外側に向けて吐出される。そして吐出された薬液３１は、コンクリート体１１と打設コンクリート体２１との接続部の打ち継ぎ部分における隙間に浸透されて発泡硬化され、これによって前記接続部が良好にシールされる。
【００１３】
【発明の効果】
以上述べたように、この発明によればコンクリート構造物の接続部に対し薬液を不足なく円滑に浸透させることができ、前記接続部を良好にシールすることができる。
【図面の簡単な説明】
【図１】この発明の一実施例の薬液注入ホースを破断して示す斜視図である。
【図２】同じく芯筒の実施態様を示す斜視図である。
【図３】同じくコンクリート体の接続部に薬液注入ホースを固定した状態を示す断面図である。
【図４】同じくコンクリート体に接続部に接して生コンクリートを打設した状態を示す断面図である。
【図５】同じく薬液注入ホースの外被層が取除かれた状態を示す断面図である。
【図６】同じく芯筒の薬液注入路に薬液が注入された状態を示す断面図である。
【図７】コンクリート体の接続部に対し薬液注入ホースを固定する手段の実施態様をそれぞれ示す断面図である。
【符号の説明】
１  薬液注入ホース
２  芯筒
３  外被層
４  薬液注入路
１１  コンクリート体
２１  打設コンクリート体
３１  薬液
【図１】
0003618392.tif 000002
【図２】
0003618392.tif 000003
【図３】
0003618392.tif 000004
【図４】
0003618392.tif 000005
【図５】
0003618392.tif 000006
【図６】
0003618392.tif 000007
【図７】
0003618392.tif 000008